(57)【要約】      （修正有）【課題】素人には難しい按摩効果である筋肉を解す力加減と揺らぎを、熟練者の持つ指の表面積で容易に与える事が出来、過負荷を分散させる効果をもった軟性按摩補助具を提供する。【解決手段】柔軟性の高い樹脂で成形した軟質按摩補助具であって、意匠が施された半球部と皮膚側平面からなる底部からなる構成とし、さらに低部底面に粘着シートを貼着した、また底部に硬質刺激具を貼着した構成とする。【選択図】図１
2017124137.tif 000002
【特許請求の範囲】
【請求項１】
柔軟性の高い樹脂で成形した軟質按摩補助具であって、意匠が施された半球部と皮膚側平面からなる底部から構成されたことを特徴とする軟質按摩補助具。
【請求項２】
前記補助具の底部底面に粘着シートを貼着したことを特徴とする請求項１記載の軟質按摩補助具。
【請求項３】
前記底部平面に硬質刺激具を貼着したことを特徴とする請求項１または２に記載の軟質按摩補助具。
【発明の詳細な説明】
【技術分野】
【０００１】本発明は、身体のコリを解す為に必要部位に置いてマッサージする事で、按摩効果を得る事の出来る軟性按摩補助具に関する。
【背景技術】
【０００２】コリを解す方法として、按摩、指圧、マッサージがある。指圧は、母指で押す、マッサージは、皮膚を擦り、皮下のリンパの流れを良くする。按摩は、筋肉または、深層筋組織をもみほぐすため、痛みや揉み返しが起こりやすい。【０００３】  素人が按摩を行うと筋肉組織に必要以上の負荷をかけ、筋肉内の老廃物を排出するより、筋肉組織を押しつぶし、翌日の揉み返しとなって現れる。
また、加圧する指や腕にも必要以上の負荷を与える事となり、筋肉痛となって現れることにもなる。【０００４】従来よく知られたつぼ押し器具として、木製や金属製のつぼ押し棒などがあるが、それらは硬く、つぼ刺激のみを目的としている。【０００５】  この硬く、つぼ刺激のみを目的と従来のつぼ押し器具は、痛みや刺激に敏感な者には、苦痛をもたらす恐れがあり、本来有効であるつぼ押しに対する忌避感情を生む恐れがあった。【０００６】  また、コリを解す物としては、家庭用貼り付け型接触粒が知られており、皮膚に直接突起物を貼り付け、その突起の刺激により筋肉に刺激を与え血行を良くする事でコリを改善している。【０００７】  柔軟な素材から成る貼付型つぼ押し具としては、ゼラチンゲル成形体からなるものも公知である（特許文献１）。【０００８】  これらの貼付型接触は、長時間貼り付けることにより、皮膚の炎症やかぶれなどを起こす恐れがあった。
【先行技術文献】
【０００９】
【特許文献１】特開２０００−３４４６６２公報
【発明の概要】
【発明が解決しようとする課題】
【００１０】  本発明は、上記問題を鑑みて、発明されたもので、素人には難しい按摩効果である筋肉を解す力加減と揺らぎを、熟練者の持つ指の表面積で容易に与える事が出来、過負荷を分散させる効果をもった軟性按摩補助具を提供する事を課題とする。
【発明が解決しようとする手段】
【００１１】  本発明の軟性按摩補助具は柔軟性の樹脂からなる事を特徴とし、以下の技術からなるものである。
【００１２】（１）柔軟性の高い樹脂で成形した軟質按摩補助具であって、意匠が施された半球部と皮膚側平面からなる底部からなることを特徴とする軟質按摩補助具。
【００１３】（２）前記底面に粘着シートを貼着した事を特徴とする（１）記載の軟質按摩補助具。
【００１４】  前記底部平面に硬質刺激具を貼着した事を特徴とする、（１）または（２）に記載の軟質按摩補助具。
【発明の効果】
【００１５】  本発明の軟質按摩補助具は、柔軟性樹脂で成形された半球状の形状により、按摩での指からの圧力を分散させ、加圧時に変形し、揺れと面加圧による按摩効果を容易に再現する事が出来、素人には難しい筋肉を解す力加減と揺らぎを、熟練者の持つ指の表面積で、容易に与える事が出来る。
【００１６】  本発明の軟質按摩補助具は、指で押す部分を、猫や子犬の肉球を模す等、意匠をこらしており、半球状の頂点が加圧位置であると判別しやすく、押す行為があたかも肉球を触る感触として楽しむ事も出来る。
【００１７】  本発明の軟質按摩補助具は、従来のつぼ押し器具によるつぼ押しとは違い、優れた柔軟性により、本器具を使用するつぼ押しを行っても、痛みや刺激に敏感な者が、痛みを感じにくいという点で、特に有効である。
【図面の簡単な説明】
【００１８】
【図１】本発明の一実施例の外観図、意匠面（上面）と断面図
【図２】本発明の外観図、意匠面（上面）と断面図（底面に粘着シート）
【図３】本発明の外観図、意匠面（上面）と断面図（底部に硬質刺激具を貼着）
【発明を実施するための形態】
【００１９】  本発明の軟質按摩補助具の形態は半球状の軟質性樹脂たとえばポリウレタン樹脂やシリコン樹脂等で、硬度ショアＡ１５程度で、直径１８〜３０ｍｍ、薄さ５〜１５ｍｍで半球の頂点部に押す場所の目印として、猫または子犬等の肉球形状などを置く事で、あたかも肉球を押して遊ぶ癒し感覚を得られ、半球状の形態が押すと同時に揺れを容易に発生させる事が出来、通常素人がマッサージした場合陥りがちな、不必要な１個所への加圧が分散される事で按摩効果を再現する事が容易に出来る。
【００２０】  粘着シートとしては、柔軟性を有するシートであって、医療、介護用に使用されているものが好ましく、例えば、αゲル（商標）などの、ヒトの弾力に近い柔軟性を持つシートが好ましい。粘着シートは、汎用の接着剤で、接着され、基材シートに接着層を設けたものが使用される。
【００２１】  硬質刺激具としては、クリスタルを用いる事が出来、先端の尖ったダイヤモンド状のクリスタルの場合は鍼効果を与える事が出来、直径１０ｍｍ以下の碁石形状の場合は指圧効果を与える事が出来る。
【実施例】
【００２２】  以下、実施例により、本発明に係る実施形態を説明するが、本発明はこの実施形態に限られるものではない。【００２３】［実施例１］
図１に実施例１を示す。外観を重視した意匠面と、人体に密着させる底面（接着面）の２面からなる、硬度ショアＡ１５の固さと、１２．５ｍｍの薄さを持つ、按摩補助具の例である。【００２４】［実施例２］
図２に実施例２を示す。実施例１の補助具において、その底部に粘着シートを貼り付けた例である。粘着シートとして、α−ゲル（商標）２ｍｍ厚のものを用いた。【００２５】［実施例３］
実施例３として、図３にさらに別の例を示す。実施例２の底部平面に貼り付けた粘着シートの上にさらに硬質刺激具として先端の尖ったダイヤモンド形状クリスタルを貼り付けたものである。【００２６】  本発明の軟性按摩補助具は、他者の手（体）を指圧する際の親指サックとしても使用できる。その際、母指の密着面が広くなり、プロの施術のような柔らかく心地よい刺激をもたらすこともできる。【００２７】  本発明の軟性按摩補助具は、意匠面の持つ外観的特徴は顕著なものがあり、小型のフィギュアとも言い換えられる外観は、イヤホンジャック、スマートホンアイテム、キーフォルダーなどへ加工されたとしても、見るものに違和感をもたらさない。素材の持つ特性から多種多様な外観への造形が可能であり、コレクターズアイテムとしての販売も可能である。
【産業上の利用可能性】
【００２８】  家庭用のつぼ押し器具としてだけでなく、マッサージ業界でも、指サックとして装着し、指先よりも柔らかい弱刺激を好む顧客に、心地よさを与えることができる。また、電動マッサージ具に装着する事で、過大な負荷を皮膚または筋肉に与えない保護具の役割も果たす。意匠を統一しての組織内での使用、コマーシャル効果を狙った販促品としても活用できる。
【符号の説明】
【００２９】  １  マッサージユニット本体
２  粘着シート
３  硬質刺激具
【図１】
2017124137.tif 000003
【図２】
2017124137.tif 000004
【図３】
2017124137.tif 000005
【手続補正書】
【提出日】平成28年11月28日(2016.11.28)
【手続補正１】
【補正対象書類名】特許請求の範囲
【補正対象項目名】請求項１
【補正方法】変更
【補正の内容】
【請求項１】
柔軟性の高い樹脂で成形した軟質按摩補助具であって、意匠が施された半球部と皮膚側平面からなる底部から構成され、底部の直径が１８〜３０ｍｍであることを特徴とする軟質按摩補助具。